(57)【要約】【課題】定電力制御に適した電源装置と、その電源装置の制御方法を提供する。【解決手段】複数のトランス２１１、２１２中の二次巻線３２１、３２２を直列接続し、その接続点ｂ及び両端ａを、チョークコイル３５１〜３５３によって第１の出力端子３８に接続し、且つ、整流素子３１１〜３１３によって第２の出力端子３９に接続する。出力電流が、予め設定された上限値よりも小さい間は、各二次巻線３２１の誘起電圧を同極性にし、誘起電圧を負荷に対して直列に印加する。出力電流が上限値を超えると、逆極性になる期間を発生させ、直列に印加される期間と並列に印加される期間を混在させ、出力電圧を低下させる。トランス２１１、２１２の使用効率が高い。【選択図】図１
2004129457.tif 000002
【特許請求の範囲】
【請求項１】
複数の一次巻線と、前記各一次巻線にそれぞれ磁気結合された二次巻線とを有し、
前記各二次巻線の両端は、チョークコイルによって第１の出力端子にそれぞれ接続され、且つ、整流素子によって第２の出力端子にそれぞれ接続され、
前記各二次巻線の誘起電圧で生成された電流が整流平滑されて第１、第２の出力端子から負荷に供給されるように構成された電源装置であって、
前記複数の二次巻線は直列接続された電源装置。
【請求項２】
電圧源から供給された直流電圧から交流電圧を生成し、前記各一次巻線に供給するスイッチ回路と、
前記各スイッチ回路が前記各一次巻線に供給する交流電圧の位相を制御する制御回路とを有する請求項１記載の電源装置。
【請求項３】
前記制御回路は前記第１、第２の出力端子間に現れる出力電圧を検出し、該出力電圧が一定値を維持する状態で、前記出力電圧が急変した場合には、一時的に前記位相を制御し、前記出力電圧を一定に維持させる請求項１又は請求項２のいずれか１項記載の電源装置。
【請求項４】
前記出力電流が第１の上限値以上である場合に、前記制御回路は前記第１、第２の出力端子から前記負荷に供給される出力電流の大きさを検出し、前記出力電流の大きさに基いて前記位相を制御し、前記第１、第２の出力端子間に現れる出力電圧を低下させるように構成された請求項１乃至請求項３のいずれか１項記載の電源装置。
【請求項５】
前記制御回路は、前記第１、第２の出力端子間に現れる出力電圧を検出し、前記出力電流の大きさに加えて前記出力電圧の大きさに基いて前記位相を制御するように構成された請求項４記載の電源装置。
【請求項６】
前記出力電流が、前記第１の上限値よりも大きい第２の上限値以上である場合に、前記制御回路は、前記出力電流の大きさに基いて、前記出力電圧を低下させる請求項４又は請求項５のいずれか１項記載の電源装置。
【請求項７】
複数の一次巻線と、前記各一次巻線にそれぞれ磁気結合された複数の二次巻線とを有し、
前記各二次巻線の両端は、チョークコイルによって第１の出力端子にそれぞれ接続され、且つ、整流素子によって第２の出力端子に接続され、
前記各二次巻線の誘起電圧で生成された電流が整流平滑されて第１、第２の出力端子から負荷に供給されるように構成され、前記二次巻線は直列接続された電源装置を制御する制御方法であって、
前記各二次巻線に誘起される電圧の位相を制御し、前記第１、第２の出力端子から出力される電圧を制御する電源装置の制御方法。
【請求項８】
前記第１、第２の出力端子間に現れる出力電圧が一定値を維持する状態で前記出力電圧が急変した場合には、一時的に前記二次巻線に誘起される電圧の位相を制御し、前記出力電圧を一定に維持させる請求項７記載の電源装置の制御方法。
【請求項９】
前記出力電流が第１の上限値以上である場合には、前記第１、第２の出力端子から前記負荷に供給される出力電流の大きさを検出し、前記出力電流の大きさに基いて前記二次巻線に誘起される電圧の位相を制御し、前記第１、第２の出力端子間に現れる出力電圧を低下させる請求項７又は請求項８のいずれか１項記載の電源装置の制御方法。
【請求項１０】
前記第１、第２の出力端子間に現れる出力電圧を検出し、前記出力電流の大きさに加えて前記出力電圧の大きさに基いて前記二次巻線に誘起される電圧の位相を制御する請求項９記載の電源装置の制御方法。
【請求項１１】
前記出力電流が、前記第１の上限値よりも大きい第２の上限値以上である場合に、前記出力電流の大きさに基いて、前記出力電圧を低下させる請求項７又は請求項１０のいずれか１項記載の電源装置の制御方法。
【請求項１２】
前記第１、第２の出力端子から前記負荷に供給される出力電流が第１の上限値よりも小さい場合は、前記各二次巻線に同極性の電圧を誘起させ、各二次巻線の誘起電圧を前記負荷に対して直列に印加させ、
前記第１の上限値を超える場合は、前記各二次巻線の誘起電圧に異なる極性の電圧を含ませ、前記第１、第２の出力端子間の電圧を低下させる請求項７記載の電源装置の制御方法。
【発明の詳細な説明】
【０００１】
【発明の属する技術分野】
本発明は電源装置の技術分野にかかり、特に、トランスの使用効率が高い電源装置に関する。
【０００２】
【従来の技術】
図２５の符号１０２は、チョークコイルを使用した従来技術の電源装置である。
一般に、スイッチング型の電源装置１０２は、一次側回路と二次側回路に分かれており、その間はトランス１２１によって絶縁されている。トランス１２１内には、互いに磁気結合した一次巻線Ｗ１と二次巻線Ｗ２が配置されている。
【０００３】
一次側には、商用電源を整流平滑した直流電圧源１１０と、一次巻線Ｗ１と共にＨブリッジを構成するスイッチ回路１０７とが配置されている。
【０００４】
スイッチ回路１０７内には、四個のトランジスタＱ１〜Ｑ４が設けられており、２個一組の順方向のトランジスタＱ１、Ｑ２と逆方向のトランジスタＱ３、Ｑ４が、一組ずつ交互に導通することで、直流電圧源１１０から一次巻線Ｗ１に交流電流を流すように構成されている。
【０００５】
二次巻線Ｗ２は出力回路１０８に接続されており、一次巻線Ｗ１に交流電流が流れ、二次巻線Ｗ２に交流電圧が誘起されると、誘起電圧は出力回路１０８に印加される
出力回路１０８は、チョークコイルＬ１、Ｌ２と整流素子１３６１、１３６２とが直列接続された二個の整流回路１２４、１２５を有している。
【０００６】
二次巻線Ｗ２の両端は、二個の整流回路１２４、１２５のチョークコイルＬ１、Ｌ２と整流素子１３６１、１３６２とが互いに接続された接続点にそれぞれ接続されている。この電源装置１０２は、正電圧を出力する電源であり、
【０００７】
整流素子１３６１、１３６２は、そのカソード端子側が、チョークコイルＬ１、Ｌ２の一端に接続されており、チョークコイルＬ１、Ｌ２の他端は、正電圧が出力される第一の出力端子１３８に接続されている。
【０００８】
整流素子１３６１、１３６２のアノード端子側は、接地電位となる第２の出力端子１３９に接続されており、二次巻線Ｗ２の誘起電圧により、一方の整流回路１２４に正電圧が印加され、他方の整流回路１２５に負電圧が印加されると、正電圧が印加された方の整流回路１２４のチョークコイルＬ１に二次巻線Ｗ２から電流が供給される。その電流は、負電圧が印加された方の整流回路１２５の整流素子１３６２を通って流れる。正電圧が印加された方の整流回路１２４の整流素子１３６１には逆バイアスされ、電流は流れない。
【０００９】
次に、二次巻線Ｗ２から各整流回路１２４、１２５に印加される電圧の極性が逆転すると、他方のチョークコイルＬ２と整流素子１３６１に電流が供給される。なお、最初のチョークコイルＬ１に電流が供給されているとき、この他方のチョークコイルＬ２には、チョークコイルＬ２が生成する電流が流れている。
【００１０】
出力回路１０８には、コンデンサＣが並列接続されおり、第１、第２の出力端子１３８、１３９間には、コンデンサＣで平滑された直流電圧が現れ、この直流電圧が負荷１２８に供給される。
【００１１】
上記の電源装置１０２と異なり、ダイオードブリッジを使用した場合、二次巻線Ｗ２の誘起電圧によって生成される電流は、直列接続された２個の整流素子を通のに比べ、上記のような電源装置１０２では、誘起電圧によって生成された電流は、２個の整流素子１３６１、１３６２のうちのいずれか一方だけを流れて負荷１６に供給されるため損失が小さく、高効率の電源装置が得られる。
【００１２】
図２６の符号１０３は、出力電流を大きくするために、上記のような電源装置１０２を二台、負荷１６に対して並列接続した電源装置である。
【００１３】
この電源装置１０３では、２個のトランス１２１１、１２１２にはそれぞれスイッチ回路１０７１、１０７２が接続されており、各スイッチ回路１０７１、１０７２によってトランス１２１１、１２１２に交流電流を供給するように構成されている。
【００１４】
また、各トランス１２１１、１２１２には、出力回路１０８１、１０８２がそれぞれ接続されており、各出力回路１０８１、１０８２から負荷１６に対して並列に電流を供給するように構成されている。
【００１５】
しかしながら、上記のような並列型の電源装置１０３では、各トランス１２１１、１２１２の最大電圧と最大電流の仕様は、トランス１２１が１個の電源装置１０２と同じになり、トランスの使用効率が悪いという欠点がある。
【００１６】
【発明が解決しようとする課題】
本発明は上記従来技術の不都合を解決するために創作されたものであり、その目的は、トランスの使用効率が高いスイッチング電源を提供することにある。
【００１７】
【課題を解決するための手段】
上記課題を解決するために、請求項１記載の発明は、複数の一次巻線と、前記各一次巻線にそれぞれ磁気結合された二次巻線とを有し、前記各二次巻線の両端は、チョークコイルによって第１の出力端子にそれぞれ接続され、且つ、整流素子によって第２の出力端子にそれぞれ接続され、前記各二次巻線の誘起電圧で生成された電流が整流平滑されて第１、第２の出力端子から負荷に供給されるように構成された電源装置であって、前記複数の二次巻線は直列接続された電源装置である。
請求項２記載の発明は、電圧源から供給された直流電圧から交流電圧を生成し、前記各一次巻線に供給するスイッチ回路と、前記各スイッチ回路が前記各一次巻線に供給する交流電圧の位相を制御する制御回路とを有する請求項１記載の電源装置である。
請求項３記載の発明は、前記制御回路は前記第１、第２の出力端子間に現れる出力電圧を検出し、該出力電圧が一定値を維持する状態で、前記出力電圧が急変した場合には、一時的に前記位相を制御し、前記出力電圧を一定に維持させる請求項１又は請求項２のいずれか１項記載の電源装置である。
請求項４記載の発明は、前記出力電流が第１の上限値以上である場合に、前記制御回路は前記第１、第２の出力端子から前記負荷に供給される出力電流の大きさを検出し、前記出力電流の大きさに基いて前記位相を制御し、前記第１、第２の出力端子間に現れる出力電圧を低下させるように構成された請求項１乃至請求項３のいずれか１項記載の電源装置である。
請求項５記載の発明は、前記制御回路は、前記第１、第２の出力端子間に現れる出力電圧を検出し、前記出力電流の大きさに加えて前記出力電圧の大きさに基いて前記位相を制御するように構成された請求項４記載の電源装置である。
請求項６記載の発明は、前記出力電流が、前記第１の上限値よりも大きい第２の上限値以上である場合に、前記制御回路は、前記出力電流の大きさに基いて、前記出力電圧を低下させる請求項４又は請求項５のいずれか１項記載の電源装置である。
請求項７記載の発明は、複数の一次巻線と、前記各一次巻線にそれぞれ磁気結合された複数の二次巻線とを有し、前記各二次巻線の両端は、チョークコイルによって第１の出力端子にそれぞれ接続され、且つ、整流素子によって第２の出力端子に接続され、前記各二次巻線の誘起電圧で生成された電流が整流平滑されて第１、第２の出力端子から負荷に供給されるように構成され、前記二次巻線は直列接続された電源装置を制御する制御方法であって、前記各二次巻線に誘起される電圧の位相を制御し、前記第１、第２の出力端子から出力される電圧を制御する電源装置の制御方法である。
請求項８記載の発明は、前記第１、第２の出力端子間に現れる出力電圧が一定値を維持する状態で前記出力電圧が急変した場合には、一時的に前記二次巻線に誘起される電圧の位相を制御し、前記出力電圧を一定に維持させる請求項７記載の電源装置の制御方法である。
請求項９記載の発明は、前記出力電流が第１の上限値以上である場合には、前記第１、第２の出力端子から前記負荷に供給される出力電流の大きさを検出し、前記出力電流の大きさに基いて前記二次巻線に誘起される電圧の位相を制御し、前記第１、第２の出力端子間に現れる出力電圧を低下させる請求項７又は請求項８のいずれか１項記載の電源装置の制御方法である。
請求項１０記載の発明は、前記第１、第２の出力端子間に現れる出力電圧を検出し、前記出力電流の大きさに加えて前記出力電圧の大きさに基いて前記二次巻線に誘起される電圧の位相を制御する請求項９記載の電源装置の制御方法である。
請求項１１記載の発明は、前記出力電流が、前記第１の上限値よりも大きい第２の上限値以上である場合に、前記出力電流の大きさに基いて、前記出力電圧を低下させる請求項７又は請求項１０のいずれか１項記載の電源装置の制御方法である。
請求項１２記載の発明は、前記第１、第２の出力端子から前記負荷に供給される出力電流が第１の上限値よりも小さい場合は、前記各二次巻線に同極性の電圧を誘起させ、各二次巻線の誘起電圧を前記負荷に対して直列に印加させ、前記第１の上限値を超える場合は、前記各二次巻線の誘起電圧に異なる極性の電圧を含ませ、前記第１、第２の出力端子間の電圧を低下させる請求項７記載の電源装置の制御方法である。
【００１８】
本発明は上記のように構成されており、負荷に高電圧で低電流を供給する場合は、各二次巻線の誘起電圧を負荷に対して直列に印加する。
【００１９】
負荷に低電圧で大電流を供給する場合は、各二次巻線の誘起電圧を負荷に対して並列に印加し、各二次巻線から負荷に対して並列に電流を供給する。
【００２０】
その間の場合、即ち、中程度の電圧で中程度の電流を供給する場合、二次巻線の誘起電圧を負荷に対して直列に印加する期間と並列に印加する期間を一周期中に混在させ、その割合で出力電圧を制御する。
【００２１】
この場合、負荷に供給される電流を測定し、電流が増加するに従って、出力電圧を低下させることができる。
【００２２】
【発明の実施の形態】
本発明の電源装置を図面を参照しながら説明する。
図１（ａ）の符号１は本発明の第一例の電源装置であり、複数個（ここでは２個）のトランス２１１、２１２を有している。
【００２３】
各トランス２１１、２１２内には、一次巻線３１１、３１２と、各一次巻線３１１、３１２に対してそれぞれ磁気結合された二次巻線３２１、３２２とが配置されている。
【００２４】
符号２９は商用電圧源を直流平滑して直流電圧を出力する直流電圧源であり、各一次巻線３１１、３１２には、直流電圧源２９に接続されたスイッチ回路２６１、２６２がそれぞれ１個ずつ接続されている。
【００２５】
スイッチ回路２６１、２６２を図１（ｂ）に示す。
各スイッチ回路２６１、２６２は、ｎチャネルＭＯＳトランジスタ（ＭＯＳＦＥＴ）から成るトランジスタをそれぞれ４個有している。同図の符号Ｑ１〜Ｑ４はそれら４個のトランジスタを示している。
【００２６】
ここでは符号Ｑ１、Ｑ４のトランジスタと、符号Ｑ３、Ｑ２のトランジスタがそれぞれ直列接続されている。
【００２７】
トランジスタＱ１、Ｑ４又はトランジスタＱ２、Ｑ３同士が接続された接続部分には、１個の一次巻線３１１、３１２の端部たそれぞれ接続され、４個のトランジスタＱ１〜Ｑ４と、１個の一次巻線３１１又は３１２とでＨブリッジ回路が構成されている。
【００２８】
トランジスタＱ１、Ｑ４又はトランジスタＱ２、Ｑ３の直列接続回路は、直流電圧源２９に対して並列接続されており、直流電圧源２９が出力する直流電圧がＨブリッジ回路に印加されるように構成されている。
【００２９】
符号Ｑ１とＱ２の組み、及び符号Ｑ３とＱ４の組は、一次巻線３１１又　３１２の一端に正電圧を印加し、他端に負電圧を印加するトランジスタの組み合わせであり、各組みを交互に導通させると、一次巻線３１１、３１２に交流電圧が印加される。
【００３０】
この交流電圧は、例えば、一方の組みのトランジスタＱ１とＱ２を導通させ、他方の組のトランジスタＱ３とＱ４を遮断させたときの電圧の極性を正とすると、一方の組みのトランジスタＱ１とＱ２を遮断させ、他方の組のトランジスタＱ３とＱ４を導通させると負極性になる。
【００３１】
一次巻線３１１、３１２に交流電圧が印加されると、その一次巻線３１１、３１２に磁気結合した二次巻線３２１、３２２に交流電圧が誘起される。
【００３２】
この電源装置１では、各二次巻線３２１、３２２は直列接続されている。
図１中の符号ａは、二次巻線３２１、３２２が直列接続された回路の両端の端点を示しており、符号ｂは、二次巻線３２１、３２２同士が互いに接続された接続点を示している。
【００３３】
また、この電源装置１では、少なくとも、端点ａの個数と接続点ｂの個数とを合計した数以上の、整流回路が設けられている。
【００３４】
符号２２１〜２２３はその整流回路を示しており、各整流回路２２１〜２２３は、１個のチョークコイル３５１、３５２、３５３と、１個の整流素子３６１、３６２、３６３とが直列接続されて構成されている。整流素子３６１〜３６３は、ｐｎ接合ダイオードやショットキー接合ダイオード等の整流作用を有する素子である。
【００３５】
二次巻線３２１、３２２の直列接続回路の端点ａと接続点ｂには、少なくとも１個の整流回路２２１〜２２３のチョークコイル３５１〜３５３と整流素子３６１〜３６３とが接続された部分が接続されている。
【００３６】
各整流回路２２１〜２２３の両端のうち、チョークコイル３５１〜３５３側の端子は、第１の出力端子３８に接続されており、整流素子３６１〜３６３側の端子は、第２の出力端子３９に接続されている。
【００３７】
第１の出力端子３８と第２の出力端子３９との間には出力コンデンサ１４が設けられており、各二次巻線３２１、３２２に誘起された交流電圧は、後述するように、整流回路２２１〜２２３と出力コンデンサ１４によって整流平滑され、直流電圧となって、第１の出力端子３８と第２の出力端子３９の間に出力される。
【００３８】
第１、第２の出力端子３８、３９間には、負荷１６が接続されている。
ここでは、各整流素子３６１〜３６３のアノード端子が第２の出力端子３９に接続されており、第２の出力端子３９に負荷１６から電流が流入するようになっているから、第２の出力端子３９が接地電位であり、第１の出力端子が接地電位よりも高い電圧を出力するようになっている。
【００３９】
電源装置１は制御回路２４を有している。各スイッチ回路２６１、２６２は制御回路２４に接続され、この制御回路２４によって、スイッチ回路２６１、２６２内のトランジスタＱ１〜Ｑ４の導通と遮断が個別に制御されており、それにより、各スイッチ回路２６１、２６２から一次巻線３１１、３１２に供給される交流電圧の位相や周波数が制御されている。制御回路２４による各スイッチ回路２６１、２６２の制御は独立であり、各スイッチ回路２６１、２６２に接続された二次巻線３２１、３２２に流れる電流は、それぞれ個別に制御される。
【００４０】
各一次巻線３１１、３１２に印加される電圧波形の例を図１０〜図１２に示す。各図中の符号Ｔは、各一次巻線３１１、３１２に印加される交流電圧Ｖ３１１、Ｖ３１２の１周期の期間を示している。符号Ｄは、交流電圧の極性が反転する時に、一次巻線３１１、３１２に流れる電流がゼロであり、二次巻線３２１、３２２に誘起される電圧がゼロになる期間である。この期間Ｄはごく短く設定されており、電源装置１の動作上無視できるものとする。
【００４１】
また、本発明の電源装置１では、各スイッチ回路２６１、２６２から各一次巻線３１１、３１２に印加される交流電圧の周波数は等しく、且つ、交流電圧の正極性の期間と負極性の期間の長さは等しくされている。
【００４２】
上記のように、一次巻線３１１、３１２に流れる電流がゼロの期間Ｄは、無視できる程度に短いので、各一次巻線３１１、３１２には、正極性の電圧か、又は負極性の電圧のいずれかが印加されているものとする。
【００４３】
図１０、図１１）に示したタイミングチャート中の符号Ｓは、各一次巻線３１１、３１２に同極性の電圧が印加され、各二次巻線３２１、３２２に同極性の電圧が誘起されている期間である。
【００４４】
図１１、図１２の符号Ｐは、直列接続された二次巻線３２１、３２２のうち、隣り合う二次巻線に互いに逆極性の電圧が誘起される期間である。
【００４５】
図１０に示すように、各一次巻線３１１、３１２に印加される交流電圧の位相が一致しており、位相差はゼロの状態では、各二次巻線３２１、３２２の誘起電圧は同極性であり、二次巻線３２１、３２２の直列接続回路の端点ａと端点ａの間には、各二次巻線３２１、３２２に誘起された電圧を加算した電圧が発生し、各二次巻線３２１、３２２に誘起された電圧が、直列に負荷１６に印加される。
【００４６】
この状態では、負荷１６には高電圧が供給される反面、供給される電流は小さい。
【００４７】
本発明の電源装置１では、各トランス２１１、２１２中の、一次巻線３１１、３１２と二次巻線３２１、３２２の巻数比は等しくされており、各一次巻線３１１、３１２に印加される交流電圧の大きさは等しくなっているから、従って、各二次巻線３２１、３２２に誘起される交流電圧の大きさは等しくなっている。
【００４８】
各二次巻線３２１、３２２に誘起された電圧の大きさ符号Ｅで表すと、期間Ｓ中では、各二次巻線３２１、３２２の直列接続回路の端点ａの間に生じる電圧は、電圧Ｅを二次巻線３２１、３２２の個数倍した大きさになる。二次巻線がｎ個あれば、ｎ×Ｅである。
【００４９】
この電源装置１では、各整流素子３６１、３６２のカソード側が二次巻線３２１、３２２に接続されているため、二次巻線３２１、３２２の直列接続回路の端点ａのうち、正電圧が誘起された方の端点ａに接続された整流素子３６１又は３６３は逆バイアスされ、遮断する。他方、負電圧が誘起された方の端点ａに接続された整流素子３６１又は３６３は順バイアスされる。
【００５０】
その結果、二次巻線３２１、３２２の直列接続回路に生じたｎ×Ｅの電圧により、正電圧が誘起された端点ａに接続されたチョークコイル３５１又は３５３と負電圧が誘起された端点ａに接続された整流素子３６１、３６２を通って電流が流れ、その電流が第１の出力端子３８から負荷１６に供給される。
【００５１】
一次巻線３１１、３１２に印加される交流電圧の極性が反転すると、二次巻線３２１、３２２の直列接続回路に誘起される電圧の極性も反転するが、反転前と同様に、第１の出力端子３８から負荷１６に供給される。
【００５２】
図１０のタイミングチャートのように、各一次巻線３１１、３１２に印加される電圧の位相が一致している場合には、各二次巻線３２１、３２２に正極性の電圧が誘起される期間と負極性の電圧が誘起される期間がある。
【００５３】
図２は、正極性の電圧が誘起される期間に流れる電流を示しており、図３は、負極性の電圧が誘起される期間に流れる電流を示している。
【００５４】
図２の符号Ｉ１１と図３の符号Ｉ２１は、二次巻線３２１、３２２の直列接続回路の両端に生じた電圧ｎ×Ｅ（ｎ＝２）によって流れる電流とその向きを示している。
【００５５】
これらの電流ｉ１１、ｉ２１はそれぞれチョークコイル３５１、３５３を流れ、負荷１６に供給される。このとき、二次巻線３２１、３２２の直列接続回路には、ｎ×Ｅの電圧が生じ、第１の出力端子３８には、電圧ｎ×Ｅ／２の大きさの出力電圧ＶＯが現れる。このとき、チョークコイル３５１、３５３の両端には、二次巻線３２１、３２２の直列接続回路に生じた電圧の半分の大きさの電圧ｎ×Ｅ／２だけ電圧降下する。
【００５６】
それらの電流ｉ１１、ｉ２１は、一次巻線３１１、３１３に印加される交流電圧の極性が反転すると、電流ｉ１１と電流ｉ２１との間で相互に切り替わる。
【００５７】
各電流ｉ１１、ｉ２１は、チョークコイル３５１、３５３をそれぞれ流れ、負荷１６に供給されているが、電流ｉ１１と電流ｉ２１との間で相互に切り替わると、各チョークコイル３５１、３５３に流れる電流は一旦停止する。
【００５８】
各チョークコイル３５１、３５３は、電流ｉ１１、ｉ２１がそれぞれ流れているときに、磁気エネルギーによって充電されており、その電流ｉ１１、ｉ２１が停止すると、チョークコイル３５１、３５３に起電力が生じ、その放電によって、図３の符号ｉ１２と図４の符号ｉ２２で示す電流が生成され、第１の出力端子３８から負荷１６に供給される。
【００５９】
チョークコイル３５１、３５３の放電による電流Ｉ１２、Ｉ２２は、チョークコイル３５１、３５３を充電した電流ｉ１１、ｉ２１と同じ大きさである。チョークコイル３５１、３５３を充電した電流ｉ１１、ｉ２１の大きさは相互に等しいから、結局、各電流ｉ１１、ｉ２１、Ｉ１２、Ｉ２２　の大きさは略等しい。
【００６０】
各二次巻線３２１、３２２の誘起電圧が、負荷１６に対して直列に印加される状態で、負荷１６に流れる電流が変動すると、二次巻線３２１、３２２によって生成される電流Ｉ１１、Ｉ２１の大きさが自動的に追随し、出力電圧ＶＯは一定値（ここでは電圧Ｅ）に維持される。
【００６１】
即ち、負荷１６に流れる電流が小さくなると、第１の出力端子３８から供給される電流もそれに従って小さくなり、負荷１６に流れる電流が大きくなると、第１の出力端子３８から供給される電流もそれに従って大きくなる。
【００６２】
この電源装置１では、第１の出力端子３８又は第２の出力端子３９のいずれか一方又は両方に電流センサ１５が設けられており、電源装置１から負荷１６に供給される出力電流の大きさは、電流センサ１５で測定されるようになっている。
【００６３】
電流センサ１５の測定結果は制御回路２４に入力されている。制御回路２４には、予め第１の上限値が設定されており、負荷１６に供給される出力電流ＩＯが第１の上限値を超えると、一次巻線３１１、３１２に印加される交流電圧の位相が一致した状態から、ズレを含んだ状態に移行される。
【００６４】
図１１は、制御回路２４により、一次巻線３１１、３１２に印加される交流電圧の位相が角度Ｆだけずらされた状態を示している。図１０のタイミングチャートでは、一周期Ｔが全部期間Ｓで占められいたが、図１１のタイミングチャートでは、期間Ｓと期間Ｐが混在した状態になる。
【００６５】
図１１の期間Ｓは、時刻ｔ１、ｔ３で開始し、時刻ｔ２、ｔ４で終了しており、期間Ｐは、期間Ｓが終了する時刻ｔ２、ｔ４で開始し、期間Ｓが開始する時刻ｔ３（及び時刻ｔ１）で終了している。
【００６６】
図１１のタイミングチャートに沿って期間Ｓと期間Ｐが混在する場合の電源装置１の動作を説明する。
【００６７】
先ず、時刻ｔ１〜ｔ２の間、各二次巻線３２１、３２２に正極性の電圧が誘起されると、図４に示すように、各二次巻線３２１、３２２に誘起された電圧Ｅは直列に負荷１６とチョークコイル３５１の直列接続回路に印加される。符号Ｉ３３は、二次巻線３２１、３２２の直列接続回路の両端の電圧２・Ｅによって負荷１６に供給される電流を示している。
【００６８】
このとき、１個の二次巻線３２２に誘起された電圧Ｅによって、電流Ｉ３２が負荷１６に供給される。
【００６９】
これら二次巻線３２１、３２２によって生成された電流Ｉ３３、Ｉ３２は、同じ整流素子３６３と、異なるチョークコイル３５１、３５２を流れる。その際チョークコイル３５１、３５２を充電する。
【００７０】
時刻ｔ１の直前は、二次巻線３２１、３２２に誘起された電圧で、チョークコイル３５２に電流が流されており、時刻ｔ１〜ｔ２の間、そのチョークコイル３５２が放電し、図４中の符号Ｉ３３で示した電流が負荷１６に供給される。
【００７１】
次に、時刻ｔ２を経過すると、二個の一次巻線３１１、３１２のうち、一方の一次巻線３１２に流れる電流が反転し、その一次巻線３１２に磁気結合した二次巻線３２２に負極性の電圧が誘起される。
【００７２】
他方の一次巻線３１１には正極性の電圧が印加されており、その一次巻線３１１に磁気結合した二次巻線３２１には、正極性の電圧が誘起されている。
【００７３】
図５は、このような状態の時に電源装置１に流れる電流を示しており、正極性の電圧と負極性の電圧がそれぞれ誘起された二次巻線３２１、３２２により、正極性の電流Ｉ４１と負極性の電流Ｉ４２がそれぞれ生成され、第１の出力端子３８から負荷１６にそれぞれ供給される。
【００７４】
図５に示した状態では、二次巻線３２１、３２２に生じた誘起電圧は負荷１６に対して並列に印加されており、正極性の電流Ｉ４１と負極性の電流Ｉ４２が負荷１６に並列に供給されている。
【００７５】
この電流Ｉ４１、Ｉ４２は、同じ整流素子３６２を通り、別のチョークコイル３５１、３５３を流れ、そのチョークコイル３５１、３５３を磁気エネルギーによってそれぞれ充電する。
【００７６】
電流Ｉ４１、Ｉ４２が流れないチョークコイル３５２には、時刻ｔ２の直前に、二次巻線３２２から供給される電流Ｉ３２が流れ、それによって充電されており、時刻ｔ２でその電流Ｉ３２が停止すると、チョークコイル３５２に起電力が生じ、電流Ｉ４３が生成される。
【００７７】
その電流Ｉ４３は、二次巻線３２１、３２２が生成した電流Ｉ４１、Ｉ４２と同じ整流素子３６２を流れ、第１の出力端子３８から負荷１６に供給される。
【００７８】
図１４は、上記のように二次巻線３２１、３２２の誘起電圧が負荷１６に直列に印加される期間Ｓと並列に印加される期間Ｐが混在している場合の、電源装置１内部に流れる電流及び電圧の波形を示すシミュレーション結果である。
【００７９】
図１４中の符号Ｖ３１１、Ｖ３１２は一次巻線３１１、３１２に印加される交流電圧の波形を示しており、Ｉ３２１、Ｉ３２２は二次巻線３２１、３２２に流れる電流波形を示している。
【００８０】
また、Ｉ３６１〜Ｉ３６３は整流素子３６１〜３６３に流れる電流波形を示しており、Ｖ３６１〜Ｖ３６３は、カソード端子の電位を示している（正負は逆転している）。
【００８１】
次に、時刻ｔ３が経過し、各一次巻線３１１、３１２に印加される電圧が全て負極性になると、二次巻線３２１、３２２に誘起される電圧の極性も負極性となり、各二次巻線３２１、３２２の誘起電圧は、負荷１６に対して直列に印加される。
【００８２】
図６は、このとき流れる電流を示しており、二次巻線３２１、３２２の直列接続回路の両端に生じた電圧２×Ｅによって電流Ｉ５１が生成され、また、１個の二次巻線３２１に誘起された電圧Ｅにより、電流Ｉ５２が生成される。
【００８３】
また、時刻ｔ３よりも前にチョークコイル３５１に供給されていた電流Ｉ２２は停止することにより、そのチョークコイル３５１に起電力が生じ、電流Ｉ５３が生成されている。
これらの電流Ｉ５１、Ｉ５２、Ｉ５３は負荷１６に供給される。
【００８４】
次に、時刻ｔ４が経過すると、一方の二次巻線３２２の誘起電圧が負極性から正極性に変わり、その結果、二次巻線３２１、３２２に生じた誘起電圧は負荷１６に対して並列に印加される。従って、図７に示すように、各二次巻線３２１、３２２の誘起電圧によって電流Ｉ６１、Ｉ６２が生成され、負荷１６に並列に供給される。その電流Ｉ６１、Ｉ６２は、異なる整流素子３６１、３６２と、同じチョークコイル３５２を通って、負荷１６に供給される。他のチョークコイル３５１、３５３には起電力が生じており、その起電力によって電流Ｉ６３、Ｉ６４が生成され、それぞれ負荷１６に供給される。
【００８５】
上記は、一次巻線３１１、３１２に印加される交流電圧の位相のずれ量Ｆが、１８０°以下の場合であったが、すれ量Ｆが大きくなり、図１２に示したように１８０°になると、二次巻線３２１、３２２に誘起される電圧は互いに逆極性になり、直列の期間Ｓは消滅し、一周期Ｔの全部が並列の期間Ｐになり、負荷１６に並列に電流を供給するようになる。
【００８６】
このとき、負荷１６には、図８に示した電流Ｉ７１〜Ｉ７３と、図９に示した電流Ｉ８１〜８４とが交互に供給される。
【００８７】
各二次巻線３２１、３２２の誘起電圧によって生成される電流Ｉ７１、Ｉ７２、Ｉ８１、Ｉ８２の大きさは互いに等しく、各チョークコイル３５１〜３５３の起電力によって生じる電流Ｉ７３、Ｉ８３、Ｉ８４は、チョークコイル３５１〜３５３を充電した電流Ｉ７１、Ｉ７２、Ｉ８１＋Ｉ８２の大きさに等しいから、
Ｉ７１＝Ｉ７２＝Ｉ８１＝Ｉ８２＝Ｉ７３／２＝Ｉ８３＝Ｉ８４
である。
【００８８】
上記のように、１周期Ｔの全部が並列の期間Ｐになり、各二次巻線３２１、３２２の誘起電圧による電流Ｉ７１、Ｉ７２、Ｉ８１、Ｉ８２がチョークコイル３５１〜３５３を流れると、出力電圧ＶＯは、誘起電圧Ｅの半分の大きさの電圧Ｅ／２になる。
【００８９】
このとき、各チョークコイル３５１〜３５３ではＥ／２だけ電圧降下しており、チョークコイル３５１〜３５３を流れる電流Ｉ７１、Ｉ７２、Ｉ８１、Ｉ８２により、各チョークコイル３５１〜３５３は磁気エネルギーで充電される。
【００９０】
それに対し、図１１のタイミングチャートの場合のように、１周期Ｔ中に直列接続の期間Ｓと並列接続の期間Ｐとが混在する場合は、出力電圧ＶＯは、ｎ×Ｅ／２とＥ／２の間の大きさであって、一期間Ｔ中に含まれる期間Ｓと期間Ｐの割合に応じた大きさになる。例えば、期間Ｓと期間Ｐが１：１の場合、出力電圧ＶＯはＥ・３／４になる。
【００９１】
この電源装置１では、制御回路２４に、第１の上限値Ｉ１が予め設定されており、出力電流ＩＯが第１の上限値Ｉ１よりも小さい間は、並列の期間Ｐを含まず、一周期Ｔ全部が直列の期間Ｓの状態で運転し、出力電流ＩＯが第１の上限値Ｉ１を超えると、超えた量に応じて期間Ｓを発生させ、出力電流ＩＯを増加させながら出力電圧ＶＯを低下させる。
【００９２】
図１３は、出力電流ＩＯと出力電圧ＶＯの関係を示したグラフである。出力電流ＩＯが第１の上限値Ｉ１よりも小さい点Ａ〜点Ｂの間は、出力電圧Ｖｏは電圧Ｅの一定値になっており、出力電流ＩＯが第１の上限値Ｉ１を超えると、出力電流ＩＯは増加しながら出力電圧ＶＯは低下させられる。
【００９３】
この制御回路２４は第１の出力端子３８と第２の出力端子３９の間に現れる出力電圧ＶＯが入力されており、出力電流ＩＯと出力電圧ＶＯの両方が測定されている。本実施例では、制御回路２４により、出力電流ＩＯが第１の上限値Ｉ１を超えると、位相のずれ量Ｆを増大させ、出力電力（出力電流ＩＯと出力電圧ＶＯの積）が一定値になるように、出力電流ＩＯを増加させながら出力電圧ＶＯを低下させる。
【００９４】
但し、本発明の出力電圧ＶＯの低下のさせ方はそれに限定されるものではなく、例えば、出力電流ＩＯを直線的に増加させながら出力電圧ＶＯを直線的に低下させる等、種々の制御方法が含まれる。
【００９５】
上記のように位相のずれ量Ｆが増大し、１８０°に達して１周期Ｔが全て並列の期間Ｐとなる点Ｃでは、出力電圧ＶＯはＥ／２になる。
【００９６】
符号Ｉ２は、出力電圧ＶＯがＥ／２になったときの出力電流ＩＯの値であり、出力電流ＩＯに対する第２の上限値である。
【００９７】
この電源装置１では、出力電流ＩＯが第２の上限値Ｉ２を超えると、制御回路２４が、トランジスタＱ１〜Ｑ４の導通期間を短くし、一次巻線３１１、３１２に供給する交流電圧の実効値を低下させる。
【００９８】
その結果、二次巻線３２１、３２２に電圧が誘起されない期間Ｄが無視できない程長くなり、期間Ｄの長さに応じて出力電圧ＶＯがＥ／２から更に低下する。
【００９９】
点Ｄは、第１の出力端子３８と接地端子３９が短絡した状態、即ち、出力電圧ＶＯがゼロになった状態であり、出力電流ＩＯは、出力電圧ＶＯがＥ／２を超えゼロになるまでの間、第２の上限値Ｉ２の値を維持する。
【０１００】
次に、図１５は、本発明の第二例の電源装置２の回路図である。
この第二例の電源装置２では、第一例の電源装置１に、トランス２１３、２１４と、整流回路２２４、２２５と、スイッチ回路２６３、２６４が追加されている。各スイッチ回路２６１〜２６４の内部構成は図１（ｂ）に示した通りである。
【０１０１】
第一例の電源装置１では、２個のトランス２１１、２１２を有し、そのトランス２１１、２１２内の二次巻線３２１、３２２が直列接続されていたが、第二例の電源装置２では、各トランス２１１〜２１４内の合計四個の二次巻線３２１〜３２４が直列接続されている。
【０１０２】
二次巻線３２１〜３２４の直列接続回路の端点ａと、二次巻線３２１〜３２４同士の接続点ｂは、各整流回路２２１〜２２５内のチョークコイル３５１〜３５５によって第１の出力端子３８に接続され、且つ、整流素子３６１〜３６５によって接地端子３９に接続されている。
【０１０３】
整流素子３６１〜３６５は、アノード側が接地電位の第２の出力端子３９に接続され、カソード側が端点ａ又は接続点ｂに接続されている。
【０１０４】
各トランス２１１〜２１４内の一次巻線３１１〜３１４は、それぞれ別々にスイッチ回路２６１〜２６４に接続されており、制御回路２４が各スイッチ回路２６１〜２６４を制御し、各一次巻線３１１〜３１４に印加する交流電圧の位相を変えると、二次巻線３２１〜３２４の誘起電圧の極性が制御される。それにより、誘起電圧が負荷１６に対して直列に印加され、又、並列に印加される。
【０１０５】
図２２は、この電源装置２で、各一次巻線３１１〜３１４に印加される交流電圧の位相が一致し、各二次巻線３２１〜３２４の誘起電圧が、負荷１６に対して直列に供給される場合のタイミングチャートである。
【０１０６】
図１６、図１７は、このときの電流と向きを示しており、図１６の符号Ｉ１０１は、各二次巻線３２１〜３２４の誘起電圧が正極性の場合に流れる電流を示しており、図１７の符号Ｉ１０２は、図１６とは逆に、負極性の場合に流れる電流を示している。図１６、１７及び後述する図１８〜図２１では、チョークコイル３５１〜３５５の起電力によって生じる電流は省略してある。
【０１０７】
図２３は、各一次巻線３１１〜３１４に印加される交流電圧の位相が１８０°ずれ、直列接続された二次巻線３２１〜３２４のうちの隣り合う二次巻線３２１〜３２４の誘起電圧が、互いに反対の極性になった場合のタイミングチャートである。
【０１０８】
図１８と図１９は、そのとき流れる電流と向きを示す図であり、図１８の符号Ｉ１１１、Ｉ１１３は正極性の誘起電圧によって生成された電流であり、符号Ｉ１１２、Ｉ１１４は負極性の誘起電圧によって生成された電流である。同様に、図１９の符号Ｉ１２２、Ｉ１２４は正極性の誘起電圧によって生成された電流であり、符号Ｉ１２１、Ｉ１２３は負極性の誘起電圧によって生成された電流である。
【０１０９】
一周期Ｔが全部Ｓで占められ、各二次巻線３２１〜３２４の誘起電圧が負荷１６に対して直列になる場合は、４×Ｅの電圧が二次巻線３２１〜３２４の直列接続回路の端点ａの間に生じ、その１／２の電圧、即ち２×Ｅの電圧が第１、第２の出力端子３８、３９間に現れている。このとき、電流がチョークコイル３５１又は３５５を流れると、チョークコイル３５１、３５５の両端には、２×Ｅだけ電圧降下する。
【０１１０】
一周期Ｔが全部Ｐで占められ、誘起電圧が負荷１６に対して並列になる場合は、誘起電圧Ｅの半分の電圧、即ちＥ／２の電圧が第１、第２の出力端子３８、３９間に現れる。このとき、チョークコイル３５１、３５３、３５５又は３５２、３５４ではＥ／２だけ電圧降下している。
【０１１１】
この電源装置２でも、予め設定された第１の上限値Ｉ１を超えるまでは、二次巻線３２１〜３２４の誘起電圧が負荷１６に対して直列に印加される。
【０１１２】
第１の上限値Ｉ１を超えると、位相がずれ、誘起電圧が並列に印加される期間Ｐが発生し、期間Ｓ、Ｐの割合に応じた出力電圧ＶＯが出力される。ｎ個の二次巻線３２１〜３２ｎを有する電源装置では、期間Ｓと期間Ｐが混在する場合は、出力電圧ＶＯはｎ×Ｅ／２とＥ／２の間の大きさになり、誘起電圧が負荷１６に対して直列に印加される期間Ｓが１周期中のｓ％、並列に印加される期間Ｐがｐ％（ｓ＋ｐ＝１００％）の場合、（ｎ×Ｅ×ｓ／２＋Ｅ×ｐ／２）／１００の大きさになる。
【０１１３】
なお、本発明の電源装置２では、直列の期間Ｓと並列の期間Ｐを混在させる場合に、複数の二次巻線３２１〜３２４のうち、隣り合う２又は３個の二次巻線の誘起電圧を負荷１６に対して直列に印加すると同時に、他の二次巻線の誘起電圧を負荷１６に対して並列に印加しても良い。即ち、１周期Ｔ中に、直列の期間Ｓと並列の期間Ｐに加え、更に直並列の期間ＳＰを設けてもよい。
【０１１４】
例えば、図２０、図２１のように、符号３２１と符号３２２の二次巻線の組み、又は符号３２３と符号３２４の二次巻線の組みで、それぞれ２×Ｅの大きさの電圧を生成し、各組の２×Ｅの電圧を、負荷１６に対して直列に印加すると、２直列２並列の直並列期間を生成することができる。
【０１１５】
図２０の符号Ｉ１３１と図２１の符号Ｉ１４１は、その場合の正極性の誘起電圧による電流、図２０の符号Ｉ１３２と図２１の符号Ｉ１４２は負極性の誘起電圧による電流である。
【０１１６】
上記各実施例１、２で用いた制御回路２４の一例を図２４に示す。
この制御回路２４は、出力電圧用増幅器９１Ｖと、出力電流用増幅器９１Ｉと、出力電力用増幅器９１Ｐとを有しており、出力電圧用増幅器９１Ｖには、第１、第２の出力端子３８、３９間に現れる出力電圧ＶＯが入力され、出力電流用増幅器９１Ｉには、電流センサ１５が測定した出力電流ＩＯの大きさが電圧変換されて入力されている。
【０１１７】
また、出力電圧ＶＯと、電流センサ１５から出力された出力電流ＩＯの大きさを示す電圧は、乗算器９３に入力され、出力電圧ＶＯの大きさと出力電流ＩＯの大きさから出力電力Ｐが算出され、それが電圧変換されて出力電圧用増幅器９１Ｖに入力されている。
【０１１８】
出力電圧用増幅器９１Ｖと、出力電流用増幅器９１Ｉと、出力電力用増幅器９１Ｐには、出力電圧用基準電圧源９２Ｖと、出力電流用基準電圧源９２Ｉと、出力電力用基準電圧源９２Ｐとが接続されており、各増幅器９１Ｖ、９１Ｉ、９１Ｐによって、出力電圧ＶＯ、出力電流ＩＯ、又は出力電力Ｐの大きさと、各基準電圧源９２Ｖ、９２Ｉ、９２Ｐが出力する基準電圧との差が増幅され、出力されている。
【０１１９】
各増幅器９１Ｖ、９１Ｉ、９１Ｐが出力する電圧信号は、ダイオード９４１〜９４３を介して、駆動回路９５に入力されており、各増幅器９１Ｖ、９１Ｉ、９１Ｐのうち、最大電圧を出力する増幅器（９１Ｖ又は９１Ｉ又は９１Ｐ）によって、駆動回路９５が制御されるように構成されている。
【０１２０】
ここでは、各増幅器９１Ｖ、９１Ｉ、９１Ｐの出力信号は、出力電流ＩＯが、第１の上限値Ｉ１未満である間は、出力電圧用増幅器９１Ｖの出力信号の電圧が最大になるように構成されている。
【０１２１】
駆動回路９５は、ｎ個のスイッチ回路２６１〜２６ｎを独立に制御するように構成されており、出力電圧ＶＯが急変すると、駆動回路９５は出力電圧用増幅器９１Ｖの出力信号に基いて各スイッチ回路２６１〜２６ｎの位相を制御し、出力電圧ＶＯを一定に維持するように構成されている。
【０１２２】
次に、出力電流ＩＯが第１の上限値Ｉ１に達すると、出力電圧用増幅器９１Ｖの出力信号の電圧と、出力電流用増幅器９１Ｉの出力信号の電圧とが等しくなり、更に出力電流ＩＯが大きくなり、第１の上限値Ｉ１を超えると、第２の上限値Ｉ２未満である限り、各増幅器９１Ｖ、９１Ｉ、９１Ｐ中、出力電力用増幅器９１Ｐの出力信号の電圧が最大になるように構成されている。
【０１２３】
従って、各スイッチ回路２６１〜２６ｎの位相は、出力電力用増幅器９１Ｐの信号に基いて制御され、出力電力Ｐ（出力電流ＩＯと出力電圧ＶＯの積）が一定値になるように、出力電流ＩＯが増加しながら出力電圧ＶＯが低下させられる。
【０１２４】
次に、第２の上限値Ｉ２に達すると、出力電流用基準電圧源９２Ｉの出力信号の電圧が最大になり、出力電流ＩＯは、略第２の上限値Ｉ２の電流量を維持しながら、出力電圧ＶＯを低下させる。
【０１２５】
なお、本発明の制御回路２４は、上記の構成に限定されるものではなく、種々の構成の制御回路が含まれることは言うまでもない。
【０１２６】
【発明の効果】
以上説明したように、本発明の電源装置では、複数の二次巻線の誘起電圧を、直列、直並列、又は並列に印加し、出力電流を増加させながら出力電圧を低下させることができる。この場合、トランジスタの導通期間を制御しなくても出力電圧を低下させることができるので、トランスの使用効率が高い。
【図面の簡単な説明】
【図１】（ａ）：本発明の第一例の電源装置の回路ブロック図　　（ｂ）：スイッチ回路の内部構成を示す回路図
【図２】第一例の電源装置において、二次巻線の誘起電圧が負荷に対して直列に印加される場合に流れる電流の経路を示す図（１）
【図３】同電源装置において、二次巻線の誘起電圧が負荷に対して直列に印加される場合に流れる電流の経路を示す図（２）
【図４】同電源装置において、二次巻線の誘起電圧が負荷に対して直列に印加される期間と並列に印加される期間が混在する場合に流れる電流の経路を示す図（１）
【図５】同電源装置において、二次巻線の誘起電圧が負荷に対して直列に印加される期間と並列に印加される期間が混在する場合に流れる電流の経路を示す図（２）
【図６】同電源装置において、二次巻線の誘起電圧が負荷に対して直列に印加される期間と並列に印加される期間が混在する場合に流れる電流の経路を示す図（３）
【図７】同電源装置において、二次巻線の誘起電圧が負荷に対して直列に印加される期間と並列に印加される期間が混在する場合に流れる電流の経路を示す図（４）
【図８】二次巻線の誘起電圧が負荷に対して並列に印加される場合に流れる電流の経路を示す図（１）
【図９】二次巻線の誘起電圧が負荷に対して並列に印加される場合に流れる電流の経路を示す図（２）
【図１０】二次巻線の誘起電圧が負荷に対して直列に印加される場合のタイミングチャート
【図１１】二次巻線の誘起電圧が負荷に対して直列に印加される期間と並列に印加される期間が混在する場合のタイミングチャート
【図１２】二次巻線の誘起電圧が負荷に対して並列に印加される場合のタイミングチャート
【図１３】本発明の第一例の電源装置の出力電圧と出力電流の関係を示すグラフ
【図１４】本発明の第一例の電源装置の内部の電圧と電流を示すグラフ
【図１５】本発明の第二例の電源装置のブロック図
【図１６】同電源装置において、二次巻線の誘起電圧が負荷に対して直列に印加される場合に流れる電流の経路を示す図（１）
【図１７】同電源装置において、二次巻線の誘起電圧が負荷に対して直列に印加される場合に流れる電流の経路を示す図（２）
【図１８】同電源装置において、二次巻線の誘起電圧が負荷に対して並列に印加される場合に流れる電流の経路を示す図（１）
【図１９】同電源装置において、二次巻線の誘起電圧が負荷に対して並列に印加される場合に流れる電流の経路を示す図（２）
【図２０】同電源装置において、二次巻線の誘起電圧が負荷に対して直並列に印加される場合に流れる電流の経路を示す図（１）
【図２１】同電源装置において、二次巻線の誘起電圧が負荷に対して直並列に印加される場合に流れる電流の経路を示す図（２）
【図２２】同電源装置において、二次巻線の誘起電圧が負荷に対して直列に印加される場合のタイミングチャート
【図２３】同電源装置において、二次巻線の誘起電圧が負荷に対して並列に印加される場合のタイミングチャート
【図２４】制御回路の一例
【図２５】従来技術の電源装置
【図２６】その電源装置を並列運転する場合の回路ブロック図
【符号の説明】
１、２……電源装置
１５……電流センサ
１６……負荷
２４……制御回路
２６１〜２６４……スイッチ回路
３１１〜３１４……一次巻線
３２１〜３２４……二次巻線
３５１〜３５５……チョークコイル
３６１〜３６５……整流素子
３８……第１の出力端子
３９……第２の出力端子
【図１】
2004129457.tif 000003
【図２】
2004129457.tif 000004
【図３】
2004129457.tif 000005
【図４】
2004129457.tif 000006
【図５】
2004129457.tif 000007
【図６】
2004129457.tif 000008
【図７】
2004129457.tif 000009
【図８】
2004129457.tif 000010
【図９】
2004129457.tif 000011
【図１０】
2004129457.tif 000012
【図１１】
2004129457.tif 000013
【図１２】
2004129457.tif 000014
【図１３】
2004129457.tif 000015
【図１４】
2004129457.tif 000016
【図１５】
2004129457.tif 000017
【図１６】
2004129457.tif 000018
【図１７】
2004129457.tif 000019
【図１８】
2004129457.tif 000020
【図１９】
2004129457.tif 000021
【図２０】
2004129457.tif 000022
【図２１】
2004129457.tif 000023
【図２２】
2004129457.tif 000024
【図２３】
2004129457.tif 000025
【図２４】
2004129457.tif 000026
【図２５】
2004129457.tif 000027
【図２６】
2004129457.tif 000028